【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
液化石油ガスから高分子量化合物をろ過するためのフィルタアセンブリであって、前記フィルタアセンブリが：
高分子量化合物を除去するように構成された第１のフィルタ媒体パックと；
高分子量化合物を除去するように構成された第２のフィルタ媒体パックであって、前記第１のフィルタ媒体パックから下流に位置する第２のフィルタ媒体パックと
を含み；
前記第１のフィルタ媒体パックが、高分子量化合物のためのその機能的容量に達すると、２００パーセント未満の上流から下流への差圧の変化を示すように構成され、前記第２のフィルタ媒体パックが、高分子量化合物の飽和に達すると、２００パーセントを超える上流から下流への差圧の変化を示すように構成されるフィルタアセンブリ。
【請求項２】
液化石油ガスから高分子量化合物をろ過するためのフィルタアセンブリであって、前記フィルタアセンブリが：
高分子量化合物を除去するように構成された第１のフィルタ媒体パックであって、高分子量炭化水素を保持するための第１の総容量を有する第１のフィルタ媒体パックと；
高分子量化合物を除去するように構成された第２のフィルタ媒体パックであって、前記第１のフィルタ媒体パックから下流に位置し、高分子量炭化水素を保持するための第２の総容量を有する第２のフィルタ媒体パックと
を含み；
前記第２のフィルタ媒体パックが、高分子量炭化水素を保持するための前記第１のフィルタ媒体パックの総機能的容量の１０パーセント以下の、高分子量炭化水素を保持するための総機能的容量を有し、前記第２のフィルタ媒体パックが、総容量に達した際または達する前に、液化石油ガスの流れに対する抵抗の少なくとも２５パーセントの増加を示すフィルタアセンブリ。
【請求項３】
液化石油ガスから高分子量化合物をろ過するためのフィルタアセンブリであって、前記フィルタアセンブリが：
液化石油ガスからの高分子量炭化水素の除去のための初期効率が、最大で０．５重量パーセントの元の高分子量炭化水素濃度で少なくとも８０パーセントであるように高分子量化合物を除去するように構成された第１のフィルタ媒体パックであって、高分子量炭化水素を保持するための第１の総容量を有する第１のフィルタ媒体パックと；
高分子量化合物を除去するように構成された第２のフィルタ媒体パックであって、前記第１のフィルタ媒体パックから下流に位置し、前記液化石油ガスの最大で０．５重量パーセントの元の濃度で少なくとも８０パーセントの高分子量炭化水素の除去のための初期効率を有し、前記第１のフィルタ媒体パックの第１の総容量の１０パーセント以下の、高分子量炭化水素を保持するための第２の総容量を有する第２のフィルタ媒体パックと
を含み；
前記第２のフィルタ媒体パックが、総容量に達した際または達する前に、少なくとも２５パーセントの液化石油ガスの流れに対する抵抗の増加を示すフィルタアセンブリ。
【請求項４】
液化石油ガスから高分子量化合物をろ過するためのフィルタアセンブリであって：
高分子量炭化水素の除去の初期効率が、５パーセント以下の初期濃度で少なくとも８０パーセントであるように高分子量化合物を除去するように構成された第１のフィルタ媒体パックと；
粒子状汚染物質を除去するように構成された第２のフィルタ媒体パックであって、高分子量化合物を除去するように構成された前記フィルタ媒体パックから下流に位置する粒子状汚染物質を除去するように構成され、２０μｍ以下の平均孔径を有する粒子状汚染物質を除去するように構成された第２のフィルタ媒体パックと；
粒子状汚染物質を除去するように構成された前記フィルタ媒体パックから下流に位置する寿命末期指標であって、約２０μｍ以下の平均孔径を有する細繊維媒体パックを含み；容量に達した際または達する前に、２５パーセントの差圧の増加を有する寿命末期指標とを含むフィルタアセンブリ。
【請求項５】
液化石油ガスから高分子量炭化水素を除去するように構成されたフィルタアセンブリの耐用寿命を測定するための方法であって：
第１のフィルタ媒体パックを提供し、初期の高分子量炭化水素の少なくとも８０パーセントが除去されるように、液化石油ガスをそれに通過させる工程と；
前記第１のフィルタ媒体パックから下流に位置する第２のフィルタ媒体パックを提供し、前記液化石油ガスをそれに通過させる工程であって、前記第２のフィルタ媒体パックが、残りの高分子量炭化水素の少なくとも５０パーセントを保持する工程と
を含み；
前記第２のフィルタ媒体パックが、前記第１のフィルタ媒体パックの総容量の１０パーセント以下の、高分子量炭化水素を保持するための総容量を有し、前記第２のフィルタ媒体パックが、総容量に達した際または達する前に、少なくとも５０パーセントの液化石油ガスの流れに対する抵抗の増加を示す方法。
【手続補正２】
【補正対象書類名】明細書
【補正対象項目名】０００６
【補正方法】変更
【補正の内容】
【０００６】
したがって、粒子状汚染物質をなお除去しながら、ＬＰＧ燃料システム構成要素における高分子量材料の付着物を減少させることができるシステムが必要とされている。
実施形態において、本発明は、例えば、下記の項目を提供する。
（項目１）
液化石油ガスから高分子量化合物をろ過するためのフィルタアセンブリであって、前記フィルタアセンブリが：
高分子量化合物を除去するように構成された第１のフィルタ媒体パックと；
高分子量化合物を除去するように構成された第２のフィルタ媒体パックであって、前記第１のフィルタ媒体パックから下流に位置する第２のフィルタ媒体パックと
を含み；
前記第１のフィルタ媒体パックが、高分子量化合物のためのその機能的容量に達すると、２００パーセント未満の上流から下流への差圧の変化を示すように構成され、前記第２のフィルタ媒体パックが、高分子量化合物の飽和に達すると、２００パーセントを超える上流から下流への差圧の変化を示すように構成されるフィルタアセンブリ。
（項目２）
液化石油ガスから固体粒子を除去するように構成された第３の媒体パックをさらに含む、項目１に記載のフィルタアセンブリ。
（項目３）
前記第１のフィルタ媒体パックと前記第２のフィルタ媒体パックとの中間の第３のフィルタ媒体パックをさらに含み、前記第３のフィルタ媒体パックが、１０μｍ以下の平均流量孔径を有する、項目１に記載のフィルタアセンブリ。
（項目４）
前記第１のフィルタ媒体パックが活性炭を含む、項目１に記載のフィルタアセンブリ。
（項目５）
前記第１のフィルタ媒体パックが、少なくとも約５００ｍ２／ｇの表面積および少なくとも約２０オングストロームの平均孔径を有する活性炭を含む、項目４に記載のフィルタアセンブリ。
（項目６）
前記第２のフィルタ媒体パックが、高分子量炭化水素を保持するための前記第１のフィルタ媒体パックの総容量の５パーセント以下の、高分子量炭化水素を保持するための総容量を有する、項目１に記載のフィルタアセンブリ。
（項目７）
前記第１のフィルタ媒体パックが、開放チャネル形態で配置される、項目１に記載のフィルタアセンブリ。
（項目８）
前記第２のフィルタ媒体パックが、高分子量化合物のその機能的容量に達すると、４００パーセントを超える上流から下流への差圧の変化を示すように構成される、項目１に記載のフィルタアセンブリ。
（項目９）
前記第２のフィルタ媒体パックが、細繊維ウェブを含む、項目１に記載のフィルタアセンブリ。
（項目１０）
前記第２のフィルタ媒体パックが、約２５μｍ以下の孔径を有する細繊維ウェブを含む、項目９に記載のフィルタアセンブリ。
（項目１１）
前記第２のフィルタ媒体パックが、約１０μｍ以下の孔径を有する細繊維ウェブを含む、項目９に記載のフィルタアセンブリ。
（項目１２）
液化石油ガスから高分子量化合物をろ過するためのフィルタアセンブリであって、前記フィルタアセンブリが：
高分子量化合物を除去するように構成された第１のフィルタ媒体パックであって、高分子量炭化水素を保持するための第１の総容量を有する第１のフィルタ媒体パックと；
高分子量化合物を除去するように構成された第２のフィルタ媒体パックであって、前記第１のフィルタ媒体パックから下流に位置し、高分子量炭化水素を保持するための第２の総容量を有する第２のフィルタ媒体パックと
を含み；
前記第２のフィルタ媒体パックが、高分子量炭化水素を保持するための前記第１のフィルタ媒体パックの総機能的容量の１０パーセント以下の、高分子量炭化水素を保持するための総機能的容量を有し、前記第２のフィルタ媒体パックが、総容量に達した際または達する前に、液化石油ガスの流れに対する抵抗の少なくとも２５パーセントの増加を示すフィルタアセンブリ。
（項目１３）
液化石油ガスから固体粒子を除去するように構成された第３の媒体パックをさらに含む、項目１２に記載のフィルタアセンブリ。
（項目１４）
前記第２のフィルタ媒体パックが、高分子量炭化水素を保持するための前記第１のフィルタ媒体パックの総容量の５パーセント以下の、高分子量炭化水素を保持するための総容量を有する、項目１２に記載のフィルタアセンブリ。
（項目１５）
前記第１のフィルタ媒体パックと前記第２のフィルタ媒体パックとの中間の第３のフィルタ媒体パックをさらに含み、前記第３のフィルタ媒体パックが、５μｍの平均粒度を有する粒子状汚染物質の除去のための少なくとも９９．９パーセントの効率を有する、項目１２に記載のフィルタアセンブリ。
（項目１６）
前記第１のフィルタ媒体パックと前記第２のフィルタ媒体パックとの中間の第３のフィルタ媒体パックをさらに含み、前記第３のフィルタ媒体パックが、１０μｍ以下の平均流量孔径を有する、項目１２に記載のフィルタアセンブリ。
（項目１７）
前記第１のフィルタ媒体パックが活性炭を含む、項目１２に記載のフィルタアセンブリ。
（項目１８）
前記第１のフィルタ媒体パックが、少なくとも約５００ｍ２／ｇの表面積および少なくとも約２０オングストロームの平均孔径を有する活性炭を含む、項目１７に記載のフィルタアセンブリ。
（項目１９）
前記第２のフィルタ媒体パックが、高分子量炭化水素を保持するための前記第１のフィルタ媒体パックの総容量の２パーセント以下の、高分子量炭化水素を保持するための総容量を有する、項目１２に記載のフィルタアセンブリ。
（項目２０）
前記第１のフィルタ媒体パックが、開放チャネル形態で配置される、項目１２に記載のフィルタアセンブリ。
（項目２１）
前記第２のフィルタ媒体パックが、細繊維ウェブを含む、項目１２に記載のフィルタアセンブリ。
（項目２２）
前記第２のフィルタ媒体パックが、約２５μｍ以下の孔径を有する細繊維ウェブを含む、項目２１に記載のフィルタアセンブリ。
（項目２３）
前記第２のフィルタ媒体パックが、約１０μｍ以下の孔径を有する細繊維ウェブを含む、項目２１に記載のフィルタアセンブリ。
（項目２４）
液化石油ガスから高分子量化合物をろ過するためのフィルタアセンブリであって、前記フィルタアセンブリが：
液化石油ガスからの高分子量炭化水素の除去のための初期効率が、最大で０．５重量パーセントの元の高分子量炭化水素濃度で少なくとも８０パーセントであるように高分子量化合物を除去するように構成された第１のフィルタ媒体パックであって、高分子量炭化水素を保持するための第１の総容量を有する第１のフィルタ媒体パックと；
高分子量化合物を除去するように構成された第２のフィルタ媒体パックであって、前記第１のフィルタ媒体パックから下流に位置し、前記液化石油ガスの最大で０．５重量パーセントの元の濃度で少なくとも８０パーセントの高分子量炭化水素の除去のための初期効率を有し、前記第１のフィルタ媒体パックの第１の総容量の１０パーセント以下の、高分子量炭化水素を保持するための第２の総容量を有する第２のフィルタ媒体パックと
を含み；
前記第２のフィルタ媒体パックが、総容量に達した際または達する前に、少なくとも２５パーセントの液化石油ガスの流れに対する抵抗の増加を示すフィルタアセンブリ。
（項目２５）
前記第１のフィルタ媒体パックと前記第２のフィルタ媒体パックとの中間の第３のフィルタ媒体パックをさらに含み、前記第３のフィルタ媒体パックが、５μｍ以上の平均粒度を有する粒子状汚染物質の除去のための少なくとも９０％パーセントの効率を有する、項目２４に記載のフィルタアセンブリ。
（項目２６）
前記第１のフィルタ媒体パックと前記第２のフィルタ媒体パックとの中間の第３のフィルタ媒体パックをさらに含み、前記第３のフィルタ媒体パックが、５μｍ以上の平均粒度を有する粒子状汚染物質の除去のための少なくとも９９パーセントの効率を有する、項目２４に記載のフィルタアセンブリ。
（項目２７）
前記第１のフィルタ媒体パックと前記第２のフィルタ媒体パックとの中間の第３のフィルタ媒体パックをさらに含み、前記第３のフィルタ媒体パックが、１０μｍ以下の平均粒度の粒子を除去するように構成される、項目２４に記載のフィルタアセンブリ。
（項目２８）
前記第１のフィルタ媒体パックが、少なくとも約５００ｍ２／ｇの表面積および少なくとも約２０オングストロームの平均孔径を有する活性炭を含む、項目２４に記載のフィルタアセンブリ。
（項目２９）
前記活性炭が活性炭を含む、項目２８に記載のフィルタアセンブリ。
（項目３０）
前記第１のフィルタ媒体パックが、開放チャネル形態で配置される、項目２４に記載のフィルタアセンブリ。
（項目３１）
前記第１のフィルタ媒体パックが、活性炭繊維を含む開放チャネル形態で配置される、項目３０に記載のフィルタアセンブリ。
（項目３２）
前記第２のフィルタ媒体パックが、細繊維ウェブを含む、項目２４に記載のフィルタアセンブリ。
（項目３３）
前記第２のフィルタ媒体パックが、約２５μｍ以下の孔径を有する細繊維ウェブを含む、項目３２に記載のフィルタアセンブリ。
（項目３４）
液化石油ガスから高分子量化合物をろ過するためのフィルタアセンブリであって：
高分子量炭化水素の除去の初期効率が、５パーセント以下の初期濃度で少なくとも８０パーセントであるように高分子量化合物を除去するように構成された第１のフィルタ媒体パックと；
粒子状汚染物質を除去するように構成された第２のフィルタ媒体パックであって、高分子量化合物を除去するように構成された前記フィルタ媒体パックから下流に位置する粒子状汚染物質を除去するように構成され、２０μｍ以下の平均孔径を有する粒子状汚染物質を除去するように構成された第２のフィルタ媒体パックと；
粒子状汚染物質を除去するように構成された前記フィルタ媒体パックから下流に位置する寿命末期指標であって、約２０μｍ以下の平均孔径を有する細繊維媒体パックを含み；容量に達した際または達する前に、２５パーセントの差圧の増加を有する寿命末期指標とを含むフィルタアセンブリ。
（項目３５）
高分子量化合物を除去するように構成された前記フィルタ媒体パックが、少なくとも約５００ｍ２／ｇの表面積および少なくとも約２０オングストロームの平均孔径を有する活性炭を含む、項目３４に記載のフィルタアセンブリ。
（項目３６）
前記炭素含有フィルタエレメントが、活性炭繊維を含む開放チャネルフィルタを含む、項目３５に記載のフィルタアセンブリ。
（項目３７）
前記寿命末期指標が、約２５μｍ以下の孔径を有するナノ繊維または極細繊維ウェブを含む、項目３４に記載のフィルタアセンブリ。
（項目３８）
前記フィルタエレメントが、ほぼ円筒形であり、炭素含有フィルタエレメントの少なくとも１つの層が、少なくとも１つの繊維ウェブ層の外側に位置決めされる、項目３４に記載のフィルタアセンブリ。
（項目３９）
前記フィルタエレメントが、ほぼ円筒形であり、炭素含有フィルタエレメントの少なくとも１つの層が、少なくとも１つの繊維ウェブ層の内側に位置決めされる、項目３４に記載のフィルタアセンブリ。
（項目４０）
前記寿命末期指標が、圧力計を含む、項目３４に記載のフィルタアセンブリ。
（項目４１）
前記寿命末期指標が、屈折率計測器を含む、項目３４に記載のフィルタアセンブリ。
（項目４２）
液化石油ガスから高分子量炭化水素を除去するように構成されたフィルタアセンブリの耐用寿命を測定するための方法であって：
第１のフィルタ媒体パックを提供し、初期の高分子量炭化水素の少なくとも８０パーセントが除去されるように、液化石油ガスをそれに通過させる工程と；
前記第１のフィルタ媒体パックから下流に位置する第２のフィルタ媒体パックを提供し、前記液化石油ガスをそれに通過させる工程であって、前記第２のフィルタ媒体パックが、残りの高分子量炭化水素の少なくとも５０パーセントを保持する工程と
を含み；
前記第２のフィルタ媒体パックが、前記第１のフィルタ媒体パックの総容量の１０パーセント以下の、高分子量炭化水素を保持するための総容量を有し、前記第２のフィルタ媒体パックが、総容量に達した際または達する前に、少なくとも５０パーセントの液化石油ガスの流れに対する抵抗の増加を示す方法。